(57)【要約】【課題】中間処理場等に入ってくる廃棄物やその収集運搬車両に対し、二次元バーコードやＯＣＲ技術等により、経済的かつ正確に廃棄物の位置情報及び時間情報、車両情報やマニフェスト情報等を認識・検証し、監視・管理できるシステムを提供する。【解決手段】資源物・廃棄物１又は生産物等に関する情報が二次元バーコード２として発行可能にデータ管理部３で管理され、その資源物等１の二次元バーコード２が所定の端末装置４に転送可能であり、端末装置４のディスプレイ画面５に表示された資源物等１の二次元バーコード２が、所定の撮像手段６で撮影されることにより資源物等１の位置情報Ｐと時間情報Ｔが決定され、その位置情報Ｐと時間情報Ｔは、記録転送手段７によりデータ管理部３に転送され、データ管理部３で照合・管理可能に構成されている。【選択図】       図１
2005182502.tif 000002
【特許請求の範囲】
【請求項１】
資源物・廃棄物又は生産物等の収集・運搬から最終処理に至る中間処理過程又は流通過程等における履歴情報の不正を監視・管理するシステムであって、
当該資源物・廃棄物又は生産物等に関する情報が二次元バーコードとして発行可能にデータ管理部で管理され、その資源物等の二次元バーコードが所定の端末装置に転送可能であり、前記端末装置のディスプレイ画面に表示された前記資源物等の二次元バーコードが、所定の撮像手段で撮影されることにより前記資源物等の位置情報と時間情報が決定され、その位置情報と時間情報は、記録転送手段によりデータ管理部に転送され、当該データ管理部で照合・管理可能に構成されていることを特徴とする、資源物・廃棄物又は生産物等の監視・管理システム。
【請求項２】
資源物等の二次元バーコードは、データ管理部において随時更新され、その更新された二次元バーコードが所定の端末装置に随時配信されることを特徴とする、請求項１に記載した資源物・廃棄物又は生産物等の監視・管理システム。
【請求項３】
資源物等の二次元バーコードは、第三者機関により管理されることを特徴とする、請求項１又は２に記載した資源物・廃棄物又は生産物等の監視・管理システム。
【請求項４】
資源物等の位置情報と時間情報は、所定の端末装置や所定の記録転送手段によりデータ管理部に転送され、インターネット等のアクセス手段により前記データ管理部にアクセスされ、当該資源物等の位置情報と時間情報が照合・管理可能に構成されていることを特徴とする、請求項１〜３のいずれか１項に記載した資源物・廃棄物又は生産物等の監視・管理システム。
【請求項５】
所定の端末装置のディスプレイ画面に表示された資源物等の二次元バーコードに対し、所定の撮像手段で撮影され決定された前記資源物等の履歴である位置情報と時間情報が、前記資源物等に関する電子マニフェスト又は運搬終了報告又は処理終了報告の一部として、データ管理部に転送されることを特徴とする、請求項１〜４のいずれか１項に記載した資源物・廃棄物又は生産物等の監視・管理システム。
【請求項６】
資源物・廃棄物又は生産物等の収集・運搬から最終処理に至る中間処理過程又は流通過程等における履歴情報の不正を監視・管理するシステムであって、
当該資源物・廃棄物又は生産物等の収集・運搬を行う所定の車両のナンバープレートに記載された車両情報は、予めデータ管理部で登録されており、所定場所に到着した前記所定車両のナンバープレートが、所定の撮像手段で撮影して得られた車両情報と時間情報は、記録転送手段によりデータ管理部に転送され、当該データ管理部で照合・管理可能に構成されていることを特徴とする、資源物・廃棄物又は生産物等の監視・管理システム。
【請求項７】
車両のナンバープレートが所定の撮像手段で撮影され、得られた当該ナンバープレートの画像データは記録転送手段によりデータ管理部に転送され、ＯＣＲ処理して得られた車両情報が、当該データ管理部で照合・管理可能に構成されていることを特徴とする、請求項６に記載した資源物・廃棄物又は生産物等の監視・管理システム。
【請求項８】
車両のナンバープレートから得られた車両情報と時間情報が、前記資源物等に関する電子マニフェスト又は運搬終了報告又は処理終了報告の一部として、データ管理部に転送されることを特徴とする、請求項６又は７に記載した資源物・廃棄物又は生産物等の監視・管理システム。
【請求項９】
ＯＣＲ処理して得られた車両情報がデータ管理部で照合され、予め車両情報が登録されていない非該当車両に対しては、警報装置が作動し警報されることを特徴とする、請求項６〜８のいずれか１項に記載した資源物・廃棄物又は生産物等の監視・管理システム。
【請求項１０】
中間処理場等において、撮像手段と台かんが設置され、前記撮像手段により撮影して得られた車両のナンバープレートの画像データが、データ管理部に転送されＯＣＲ処理して得られた車両情報と、前記台かんで計測された入退出車両の総量差を基に、中間処理場等において入退出する車両に積載された資源物等の監視・管理可能に構成されていることを特徴とする、請求項６〜９のいずれか１項に記載した資源物・廃棄物又は生産物等の監視・管理システム。
【請求項１１】
資源物・廃棄物又は生産物等の収集・運搬から最終処理に至る中間処理過程又は流通過程等における履歴情報の不正を監視・管理するシステムであって、
当該資源物・廃棄物又は生産物等に関する情報がＩＣタグに保存され、そのＩＣタグが当該資源物等に直接又は間接的に取り付けられており、前記資源物等のＩＣタグが、所定のＩＣリーダで読み取られて得られた物品情報と時間情報は、記録転送手段によりデータ管理部に転送され、当該データ管理部で照合・管理可能に構成されていることを特徴とする、資源物・廃棄物又は生産物等の監視・管理システム。
【請求項１２】
資源物・廃棄物又は生産物等の収集・運搬から最終処理に至る中間処理過程又は流通過程等における履歴情報の不正を監視・管理するシステムであって、
当該資源物・廃棄物又は生産物等に関する情報が一次元バーコードや二次元バーコード又はＩＣチップに保存され、その資源物等の前記一次元バーコード等がマニフェスト伝票に予め印字又はシールの貼付等によって組み込まれており、前記資源物等の一次元バーコード等が、所定のリーダで読み取られて得られたマニフェスト番号や物品情報、時間情報等は、記録転送手段によりデータ管理部に転送され、当該データ管理部で照合・管理可能に構成されていることを特徴とする、資源物・廃棄物又は生産物等の監視・管理システム。
【請求項１３】
資源物・廃棄物又は生産物等の収集・運搬を行う所定の車両の位置情報は、ＧＰＳ（全地球測位システム）によりデータ管理部に転送されていることを特徴とする、請求項６又は７又は１１又は１２に記載した資源物・廃棄物又は生産物等の監視・管理システム。
【請求項１４】
資源物・廃棄物又は生産物等又はそれらに関する情報の代わりに、製品又は加工品又は有価物に適用されることを特徴とする、請求項１〜１３のいずれか１項に記載した資源物・廃棄物又は生産物等の監視・管理システム。
【請求項１５】
撮像手段と記録転送手段とが、それら両手段を具備したカメラ付き情報端末装置であることを特徴とする、請求項１又は４又は５又は６又は７又は１０に記載した資源物・廃棄物又は生産物等の監視・管理システム。
【発明の詳細な説明】
【技術分野】
【０００１】
本発明は、資源物や廃棄物又は生産物等を監視・管理するシステムに係り、さらに言えば、資源物・廃棄物又は生産物や広く製品・加工品・製品・有価物等の収集から最終処理に至る中間処理及び流通過程等で行われ易い不正を、資源物等の履歴たる位置情報と時間情報やその他資源物等に関する情報の簡便かつ正確な取得・管理によって監視し管理する資源物・廃棄物又は生産物等の監視・管理システムの技術分野に属するものである。
【背景技術】
【０００２】
廃棄物の排出から収集・運搬、処分までの一連の処理プロセスを把握し、廃棄物の適正処理確認を行うシステムとして、法定の廃棄物管理票（マニフェスト）に加え、廃棄物又はその梱包物に対して情報の組込みが可能なバーコードやＩＣといった識別シール等を添付したものや、廃棄物収集運搬車両にＧＰＳ（Global  Positioning  System全地球測位システム）受信装置を取付ける等の手段が提案されはじめている。
【０００３】
また、二次元バーコードを利用した情報処理システムとして、例えば、特開２００３ー３６４１５号公報記載の技術が公知である。
【特許文献１】特開２００３ー３６４１５号公開特許公報
【発明の開示】
【発明が解決しようとする課題】
【０００４】
廃棄物は一般的に、企業（事業所）から排出された後、圧縮減容及び再資源化を目的として、選別・破砕・焼却などの中間処理を行うため、様々な排出事業所から中間処理場に搬入される。しかし、実際に排出現場に収集に来た車両がどこの処分場にいつ入って来たのか、その車両や廃棄物が同一のものか等、廃棄物の中間処理過程での不正を経済的かつ正確に監視・管理するシステムは未だ構築されていない。
【０００５】
この点、バーコードシールやＩＣタグを用いた廃棄物管理においては、その読み取りに高価なリーダー・ライター等の設備が必要である。しかも、中間処理場や最終処分場などといったポイントとなる地点での読み取り場所や時間の特定がなかなか難しい。
【０００６】
一方、位置情報と時間情報を同時取得できるうえ、データの改ざん等が非常に困難なＧＰＳより得られた廃棄物の収集運搬車両に関する位置情報は、車両の運行軌跡が時間とともにデータ上で確認できる。しかしながら、ＧＰＳシステムの導入にかかるイニシャルコストを含め、多くの車両にＧＰＳを設置する費用を考えた場合、そのＧＰＳシステムの利用において現段階では課題が残る。
【０００７】
したがって、本発明は、中間処理場や最終処分場に入ってくる廃棄物及びその収集運搬車両に対し、二次元バーコードやＯＣＲ技術、カメラ付き情報端末装置等を応用して、経済的かつ正確に廃棄物の位置情報及び時間情報、車両情報やマニフェスト情報等を認識・検証し、廃棄物や資源物を監視・管理できるシステムを提供することを主目的とする。また、広く生産物や製品・製品・加工品・有価物等に関しても、流通過程での履歴情報の虚偽表示や不正を監視・管理する場合に同様に適用できるシステムを提供する。
【課題を解決するための手段】
【０００８】
前記課題を解決するための手段として、請求項１記載の発明に係る資源物・廃棄物又は生産物等の監視・管理システムは、資源物・廃棄物又は生産物等の収集・運搬から最終処理に至る中間処理過程又は流通過程等における履歴情報の不正を監視・管理するシステムであって、
当該資源物・廃棄物１又は生産物等に関する情報が二次元バーコード２として発行可能にデータ管理部３で管理され、その資源物等１の二次元バーコード２が所定の端末装置４に転送可能であり、前記端末装置４のディスプレイ画面５に表示された前記資源物等１の二次元バーコード２が、所定の撮像手段６で撮影されることにより前記資源物等１の位置情報Ｐと時間情報Ｔが決定され、その位置情報Ｐと時間情報Ｔは、記録転送手段７によりデータ管理部３に転送され、当該データ管理部３で照合・管理可能に構成されていることを特徴とする。
【０００９】
請求項２記載の発明に係る資源物・廃棄物又は生産物等の監視・管理システムは、前記資源物等１の二次元バーコード２が、データ管理部３において随時更新され、その更新された二次元バーコード２が所定の端末装置４に随時配信されることを特徴とする。
【００１０】
請求項３記載の発明に係る資源物・廃棄物又は生産物等の監視・管理システムは、前記資源物等１の二次元バーコード２が、第三者機関９により管理されることを特徴とする。
【００１１】
請求項４記載の発明に係る資源物・廃棄物又は生産物等の監視・管理システムは、前記資源物等１の位置情報Ｐと時間情報Ｔが、所定の端末装置４や所定の記録転送手段７によりデータ管理部３に転送され、インターネット等のアクセス手段１０により前記データ管理部３にアクセスされ、当該資源物等１の位置情報Ｐと時間情報Ｔが照合・管理可能に構成されていることを特徴とする。
【００１２】
請求項５記載の発明に係る資源物・廃棄物又は生産物等の監視・管理システムは、前記所定の端末装置４のディスプレイ画面５に表示された資源物等１の二次元バーコード２に対し、所定の撮像手段６で撮影され決定された前記資源物等１の履歴である位置情報Ｐと時間情報Ｔが、前記資源物等１に関する電子マニフェスト１１又は運搬終了報告１２又は処理終了報告１３の一部として、データ管理部３に転送されることを特徴とする。
【００１３】
請求項６記載の発明に係る資源物・廃棄物又は生産物等の監視・管理システムは、資源物・廃棄物又は生産物等の収集・運搬から最終処理に至る中間処理過程又は流通過程等における履歴情報の不正を監視・管理するシステムであって、
当該資源物・廃棄物１又は生産物の収集・運搬を行う所定の車両２０のナンバープレート２１に記載された車両情報Ｓは、予めデータ管理部３で登録されており、所定場所Ｂに到着した前記所定車両２０のナンバープレート２１が、所定の撮像手段６で撮影して得られた車両情報Ｓと時間情報Ｔは、記録転送手段７によりデータ管理部３に転送され、当該データ管理部３で照合・管理可能に構成されていることを特徴とする。
【００１４】
請求項７記載の発明に係る資源物・廃棄物又は生産物等の監視・管理システムは、前記車両２０のナンバープレート２１が所定の撮像手段６で撮影され、得られた当該ナンバープレート２１の画像データ２２は記録転送手段７によりデータ管理部３に転送され、ＯＣＲ処理して得られた車両情報Ｓが、当該データ管理部３で照合・管理可能に構成されていることを特徴とする。
【００１５】
請求項８記載の発明に係る資源物・廃棄物又は生産物等の監視・管理システムは、前記車両２０のナンバープレート２１から得られた車両情報Ｓと時間情報Ｔが、前記資源物等１に関する電子マニフェスト１１又は運搬終了報告１２又は処理終了報告１３の一部として、データ管理部３に転送されることを特徴とする。
【００１６】
請求項９記載の発明に係る資源物・廃棄物又は生産物等の監視・管理システムは、前記ＯＣＲ処理して得られた車両情報Ｓがデータ管理部３で照合され、予め車両情報Ｓが登録されていない非該当車両２０に対しては、警報装置が作動し警報されることを特徴とする。
【００１７】
請求項１０記載の発明に係る資源物・廃棄物又は生産物等の監視・管理システムは、前記中間処理場Ｂ等において、撮像手段６と台かん１５が設置され、前記撮像手段６により撮影して得られた車両２０のナンバープレート２１の画像データ２２が、データ管理部３に転送されＯＣＲ処理して得られた車両情報Ｓと、前記台かん１５で計測された入退出車両２０の総量差を基に、中間処理場Ｂ等において入退出する車両２０に積載された資源物等１の監視・管理可能に構成されていることを特徴とする。
【００１８】
請求項１１記載の発明に係る資源物・廃棄物又は生産物等の監視・管理システムは、資源物・廃棄物又は生産物等の収集・運搬から最終処理に至る中間処理過程又は流通過程等における履歴情報の不正を監視・管理するシステムであって、
当該資源物・廃棄物１又は生産物に関する情報がＩＣタグに保存され、そのＩＣタグが当該資源物等１に直接又は間接的に取り付けられており、前記資源物等１のＩＣタグが、所定のＩＣリーダで読み取られて得られた物品情報と時間情報Ｔは、記録転送手段７によりデータ管理部３に転送され、当該データ管理部３で照合・管理可能に構成されていることを特徴とする。
【００１９】
請求項１２記載の発明に係る資源物・廃棄物又は生産物等の監視・管理システムは、資源物・廃棄物又は生産物等の収集・運搬から最終処理に至る中間処理過程又は流通過程等における履歴情報の不正を監視・管理するシステムであって、
当該資源物・廃棄物１又は生産物等に関する情報が一次元バーコードや二次元バーコード２又はＩＣチップに保存され、その資源物等１の前記一次元バーコード等がマニフェスト伝票に予め印字又はシールの貼付等によって組み込まれており、前記資源物等１の一次元バーコード等が、所定のリーダで読み取られて得られたマニフェスト番号や物品情報、時間情報Ｔ等は、記録転送手段７によりデータ管理部３に転送され、当該データ管理部３で照合・管理可能に構成されていることを特徴とする。
【００２０】
請求項１３記載の発明に係る資源物・廃棄物又は生産物等の監視・管理システムは、前記資源物・廃棄物１又は生産物の収集・運搬を行う所定の車両２０の位置情報Ｐが、ＧＰＳ（全地球測位システム）によりデータ管理部３に転送されていることを特徴とする。
【００２１】
請求項１４記載の発明に係る資源物・廃棄物又は生産物等の監視・管理システムは、前記資源物・廃棄物１又は生産物又はそれらに関する情報Ｐ、Ｔ、Ｓ…の代わりに、製品又は加工品又は有価物に適用されることを特徴とする。
【００２２】
請求項１５記載の発明に係る資源物・廃棄物又は生産物等の監視・管理システムは、前記撮像手段６と記録転送手段７とが、それら両手段を具備したカメラ付き情報端末装置８であることを特徴とする。
【発明の効果】
【００２３】
請求項１記載の発明の資源物・廃棄物又は生産物等の監視・管理システムによれば、資源物・廃棄物又は生産物等に関する情報が二次元バーコードとして発行可能にデータ管理部で管理され、その資源物等の二次元バーコードが所定の端末装置に転送可能であり、中間処理場や最終処分場に前記資源物等を積載した収集運搬車両が到着した際に、前記端末装置のディスプレイ画面に表示された前記資源物等の二次元バーコードが、所定の撮像手段で撮影されることにより、前記資源物等の位置情報と時間情報が決定され、その位置情報と時間情報は、記録転送手段によりデータ管理部に転送されるので、当該データ管理部にアクセスすることで簡便かつ正確に照合・管理できる経済性・正確性に優れた資源物等の監視・管理が実現され、不正な廃棄物又は生産物等の処理の未然防止に貢献する。
【００２４】
請求項２記載の発明の資源物・廃棄物又は生産物等の監視・管理システムによれば、資源物等の二次元バーコードは、データ管理部で随時新しいものに更新され端末装置に配信されるので、当該端末装置のディスプレイ画面に表示された二次元バーコードを、撮像手段で撮影する際のデータが常に最新の二次元バーコードで認証・確認され、二次元バーコードの複製や不正処理が介在する余地をシャトアウトし信頼性が向上される。
【００２５】
請求項３記載の発明の資源物・廃棄物又は生産物等の監視・管理システムによれば、資源物等の二次元バーコードが、第三者機関により管理されるので、当該資源物等の二次元バーコードのデータが改ざん等される不正行為の防止に貢献する。
【００２６】
請求項４記載の発明の資源物・廃棄物又は生産物等の監視・管理システムによれば、資源物等の位置情報と時間情報は、所定の端末装置や所定の記録転送手段によりデータ管理部に転送され、インターネット等のアクセス手段によりデータ管理部にアクセスすることにより、当該資源物等の位置情報と時間情報をいつでもどこでも迅速かつ正確に照合・管理できて、利便性、経済性に優れ合理的なシステムに構築されている。
【００２７】
請求項５記載の発明の資源物・廃棄物又は生産物等の監視・管理システムによれば、所定の端末装置のディスプレイ画面に表示された資源物等の二次元バーコードに対し、所定の撮像手段で撮影され決定された資源物等の履歴である位置情報と時間情報を利用して、当該資源物等に関する法定の電子マニフェストや運搬終了報告、処理終了報告を簡便に作成できて至極便利である。
【００２８】
請求項６記載の発明の資源物・廃棄物又は生産物等の監視・管理システムによれば、資源物・廃棄物又は生産物等の収集運搬を行う所定の車両のナンバープレートに記載された車両情報は、予めデータ管理部で登録されており、所定場所に到着した前記所定車両のナンバープレートが、所定の撮像手段で撮影して得られた車両情報と時間情報は、記録転送手段によりデータ管理部に転送されるので、当該データ管理部にアクセスし、当該所定車両のナンバープレートに記載された車両情報を手がかりとして、簡便かつ正確に所定車両及び積載資源物等を照合・管理できる経済性・正確性に優れた資源物等の監視・管理が実現され、不正な廃棄物又は生産物等の処理の未然防止に貢献する。
【００２９】
請求項７記載の発明の資源物・廃棄物又は生産物等の監視・管理システムによれば、車両のナンバープレートが所定の撮像手段で撮影され、得られた当該ナンバープレートの画像データは記録転送手段によりデータ管理部に転送され、ＯＣＲ処理して車両情報が得られるので、当該データ管理部にアクセスするだけで所定車両の真偽を照合・管理できる信頼性・経済性に優れている。
【００３０】
請求項８記載の発明の資源物・廃棄物又は生産物等の監視・管理システムによれば、車両のナンバープレートから得られた車両情報と時間情報を利用して、当該資源物等に関する法定の電子マニフェストや運搬終了報告、処理終了報告を簡便に作成できて至極便利である。
【００３１】
請求項９記載の発明の資源物・廃棄物又は生産物等の監視・管理システムによれば、ＯＣＲ処理して得られた車両情報がデータ管理部で照合され、予め車両情報が登録されていない非該当車両に対しては、警報装置が作動し警報されるので、不審な車両の事前チェックに万全が期されている。
【００３２】
請求項１０記載の発明の資源物・廃棄物又は生産物等の監視・管理システムによれば、中間処理場等において、撮像手段と台かんが設置されているので、撮像手段により撮影して得られた車両のナンバープレートの画像データは、データ管理部に転送されＯＣＲ処理して車両情報を取得できると共に、台かんで計測された入退出車両の総量差を基に、中間処理場等において入退出する車両に積載された資源物等を監視・管理できる合理性・利便性に優れている。
【００３３】
請求項１１記載の発明の資源物・廃棄物又は生産物等の監視・管理システムによれば、当該資源物等に関する情報がＩＣタグに保存され、そのＩＣタグが当該資源物等に直接又は間接的に取り付けられており、前記資源物等のＩＣタグが、所定のＩＣリーダで読み取られて得られた物品情報と時間情報は、記録転送手段によりデータ管理部に転送されるので、当該データ管理部にアクセスして資源物等の中間処理における不正介在の有無を簡便に照合・管理することができる。
【００３４】
請求項１２記載の発明の資源物・廃棄物又は生産物等の監視・管理システムによれば、当該資源物等に関する情報が一次元バーコードや二次元バーコード又はＩＣチップに保存され、その資源物等の前記一次元バーコード等がマニフェスト伝票に予め印字又はシールによる貼付等によって組み込まれており、前記資源物等の一次元バーコード等が、所定のリーダで読み取られて得られたマニフェスト番号や物品情報、時間情報等は、記録転送手段によりデータ管理部に転送されるので、既存のマニフェスト伝票を利用して資源物等の中間処理過程等における不正介在の有無を簡便にチェックすることができる。
【００３５】
請求項１３記載の発明の資源物・廃棄物又は生産物等の監視・管理システムによれば、資源物等の収集運搬を行う所定の車両の位置情報は、ＧＰＳシステムによりデータ管理部に随時転送されているので、中間処理過程での運搬車両（資源物等）の位置を正確に常時把握でき、不正行為の監視・管理に万全である。
【００３６】
請求項１４記載の発明の資源物・廃棄物又は生産物等の監視・管理システムによれば、前記資源物・廃棄物又は生産物等又はそれらに関する情報に関する中間処理過程での不正を監視・管理する技術内容が、広く製品・加工物・製品・有価物等に関しても適用でき有用である。
【００３７】
請求項１５記載の発明の資源物・廃棄物又は生産物等の監視・管理システムによれば、前記撮像手段と記録転送手段とが、それら両手段を具備したカメラ付き携帯電話等の情報端末装置であるので、本システムにおいて当該カメラ付き携帯電話を誰でも簡単に使用できて使い勝手に優れ経済性にも貢献する。
【発明を実施するための最良の形態】
【００３８】
本発明に係る資源物・廃棄物又は生産物等の監視・管理システムは、大きく２種類のものに大別される。それは、二次元バーコードを応用した監視・管理システム（請求項１〜５参照）と、ＯＣＲ技術を応用した監視・管理システム（請求項６〜１０参照）である。
【００３９】
しかし、両システム共に、資源物・廃棄物又は生産物等の収集・運搬から最終処理に至る中間処理過程や流通過程等における不正を監視・管理するシステムである。当該システムは、資源物・廃棄物や生産物又はそれらに関する後述の情報の代わりに、製品又は有価物等にも適用可能であるが（請求項１４）、本実施形態においては資源物・廃棄物（以下、資源物等１とも言う。）に関し説明する。
【００４０】
まず図１に概要を示した二次元バーコードを応用した監視・管理システムについて説明する。
【００４１】
この監視・管理システムの好適な実施形態は、資源物・廃棄物１に関する情報が二次元バーコード２として発行可能にデータ管理部３で管理され、その資源物等１の二次元バーコード２が、予め決められた排出事業場や処分事業場等の所定の端末装置４に対し転送可能となっている。
【００４２】
前記資源物等１の二次元バーコード２に付与される情報としては、例えば、履歴たる事業場の位置情報、日時情報、マニフェスト情報、ドライバーの情報、更新される固有の認証番号等である。更新される「固有の認証番号」とは、データの流用や改ざん等による不正を防止するため、データ管理部３において随時更新されるものであり、その更新された二次元バーコード２の認証番号が前記所定の端末装置４に随時配信される（請求項２）。また、前記資源物等１の二次元バーコード２は、第三者機関９により管理される実施形態が好ましい（請求項３）。
【００４３】
そして、排出事業場や処分事業場等の所定場所に到着した収集運搬業者のドライバーは、前記端末装置４に付設のディスプレイ画面５に表示された前記資源物等１の二次元バーコード２に対し、手持ちの予め登録された所定の撮像手段６で撮影する。このように前記二次元バーコード２撮影されることにより前記資源物等１の位置情報Ｐと時間情報Ｔが決定される。その位置情報Ｐと時間情報Ｔは、収集運搬業者のドライバー所有の記録転送手段７によりデータ管理部３に転送されると共に、排出事業場（処分事業場等）所有の所定の端末装置４が記録転送手段７としてやはりデータ管理部３に転送される（請求項１）。
【００４４】
したがって、インターネットや電話、ファクシミリ、携帯電話等のアクセス手段１０により、いつでもどこでも前記データ管理部３にアクセスされ、当該資源物等１の位置情報Ｐと時間情報Ｔがリアルタイムに照合・管理できるシステムである（請求項４）。
【００４５】
なお、前記撮像手段６と記録転送手段７とは、それら両手段を具備したカメラ付き情報端末装置（所謂カメラ付き携帯電話）８が好適に使用される（請求項１５）。但し、ここにいう撮像手段６としては、携帯用のデジタルカメラ、カメラ付ノートＰＣ等でも可能である。また、ここでいう端末装置４や記録転送手段７としては、パソコンや携帯電話のほか、モデム、衛星（図示なし）等を一構成要素とするものやノートＰＣ、ＰＤＡやバーコードリーダ付き情報端末装置等であってもよい。さらに、データ管理部３とは、コンピュータシステム（サーバーセンター、ホストコンピュータ、アプリケーション等）を含む広い意味のものである。
【００４６】
また、前記所定の端末装置４のディスプレイ画面５に表示された資源物等１の二次元バーコード２に対し、所定の撮像手段６で撮影され決定された前記資源物等１の位置情報Ｐと時間情報Ｔは、法定の前記資源物等１に関する電子マニフェスト１１や運搬終了報告１２、処理終了報告１３の一部として簡便にデータ処理でき、データ管理部３に転送することもできるものである（請求項５）。収集運搬業者のドライバーにとっても、手持ちのカメラ付き携帯電話８を利用して、運搬終了報告１２や処理終了報告１３を作成し報告する際に、不正なきことが「認証」されるので好都合であり、不正を監視・管理する第三者機関９にとっても便利である。
【００４７】
次に図２〜図５に概要を示したＯＣＲ技術を応用した監視・管理システムについて説明する。
【００４８】
本システムは、資源物等１の収集運搬車両２０のナンバープレート２に記載された車両情報Ｓが、いわゆるＯＣＲ技術を用いて読み取られ、その情報等がデータ管理部３に転送され照合・管理可能に構成されているものである。
【００４９】
すなわち、当該資源物・廃棄物１の収集運搬を行う予め登録された所定車両２０のナンバープレート２１に記載された車両情報Ｓは、予めデータ管理部３で登録されている。そして、中間処理場等の所定場所Ｂに到着した前記所定車両２０のナンバープレート２１に対し、予め登録された所定の撮像手段６で撮影して得られた車両情報Ｓと時間情報Ｔは、記録転送手段７によりデータ管理部３に転送され、当該データ管理部３で照合・管理可能に構成されているシステムである（請求項６）。
【００５０】
つまり前記車両２０のナンバープレート２１が、現場担当者の所定の撮像手段６で撮影されると共に、ドライバーの撮像手段６で撮影され、それぞれ得られた当該ナンバープレート２１の画像データ２２は、記録転送手段７によりデータ管理部３に転送され、ＯＣＲ処理して得られた車両情報Ｓが、当該データ管理部３で照合・管理可能となっている（請求項７）。その現場担当者とドライバーがデータ管理部３にデータ転送する際には、車両情報Ｓと時間情報Ｔを、各々法定の電子マニフェスト１１や運搬終了報告１２、処理終了報告１３の一部に加えてデータ管理部３に転送することができる（請求項８）。
【００５１】
ここで、図３を用いて車両２０のナンバープレート２１の撮影とデータベース化を詳述する。中間処理場Ｂ等の所定の場所に到達した収集運搬車両２０のナンバープレート２１を、現場担当者・ドライバーが予め登録された自身のカメラ付き携帯電話８（例えば３０万画素〜１００万画素）を使用して撮影する。撮影した画像データ２２は、携帯メールに添付して、データ管理部３で指定されたアドレスへ転送する。転送を受けたデータ管理部３のメールサーバーにより、ナンバー認識サーバーへナンバープレートの添付画像データ２２が転送され、ナンバープレートの車両情報ＳがＯＣＲ処理されて認識される。その認識結果はテキストファイルに変換され車両登録データベースに記録保存される。
【００５２】
図４のように、所定場所Ｂに到着した資源物等１を積載した車両２０のナンバープレート２１が、固定式の撮像手段６（監視カメラ）によって撮影され、得られたナンバープレート２１の画像データ２２がデータ管理部３のＯＣＲ処理サーバーに転送され、認識された車両番号がマニフェスト登録番号データベースと照合されると共に、入場日時データがデータ管理部３のデータベースに登録される。そして、前記ＯＣＲ処理して得られた車両番号等の車両情報Ｓが前記データ管理部３のマニフェスト登録番号データベースで照合され、予め車両情報Ｓが登録されていない非該当車両２０に対しては、警報装置（図示は省略）を作動して警報することが可能である（請求項９）。
【００５３】
さらに、請求項１０の発明のように、前記中間処理場Ｂにおいて、固定式の撮像手段６と台かん１５を予め設置する実施形態も好適に採用可能である。その場合、前記撮像手段６により撮影して得られた車両２０のナンバープレート２１の画像データ２２が、データ管理部３に転送されＯＣＲ処理して得られた車両情報Ｓと、前記台かん１５で計測された入退出車両２０の総量差を基に、中間処理場Ｂにおいて入退出する車両２０に積載された資源物等１の監視・管理が可能である（図４、図５参照）。つまり、処理のために廃棄物を中間処理場Ｂに持ち込む車両２０、廃棄物を最終処分場やリサイクル施設等に運び出す車両２０を、その重量と車両ナンバーから区別して監視することができる。
【００５４】
ここで、図６を用いて本実施形態を説明すると、中間処理場Ｂで混合排出される可能性のある所謂２次マニフェスト管理票以外の廃棄物ａ、ｂ、ｃについても、全てこれらの情報Ｐ、Ｔ、Ｓ…を全て公開するものであり（同図中の符号Ｒで示した部分における開示）、明確適切に管理することができる。
【００５５】
前記構成のほか、図示を省略したＩＣタグを応用しての資源物・廃棄物又は生産物等の監視・管理システムも採用可能である（請求項１１）。詳細は省略するが、このＩＣタグを応用した実施形態もやはり、資源物・廃棄物又は生産物等の収集から最終処理に至る中間処理過程での不正を監視・管理するシステムである。当該資源物等１に関する情報がＩＣタグに保存され、そのＩＣタグが当該資源物等１に直接又は間接的に取り付けられており、前記資源物等１のＩＣタグが、所定のＩＣリーダで読み取られて得られた物品情報と時間情報Ｔは、記録転送手段７によりデータ管理部３に転送されるので、当該データ管理部３で照合・管理可能に構成されているものである。
【００５６】
また、図示を省略した既存のマニフェスト伝票に一次元バーコードや上記二次元バーコード２又はＩＣチップを取り付けて資源物等１を監視・管理する形態のシステムも好適に実施することができる（請求項１２）。すなわち、当該資源物・廃棄物１や生産物等に関する情報が、一次元バーコードや二次元バーコード２又はＩＣチップに保存され、その一次元バーコード等がマニフェスト伝票に予め印字され又はシールによる貼付等によって組み込まれている。したがって、前記資源物等１に関する一次元バーコード等が、所定のリーダで読み取られて得られたマニフェスト番号や物品情報、時間情報Ｔ等は、記録転送手段７によりデータ管理部３に転送されるので、そのデータ管理部３にアクセスして中間処理過程等における履歴情報の不正介在を照合し管理することができる。
【００５７】
なお、前記ＯＣＲ技術及びＩＣタグを応用した監視・管理システムにおいて、位置情報を取得するべく、前記資源物・廃棄物１の収集運搬を行う所定の車両２０の位置情報Ｐが、ＧＰＳ（全地球測位システム）によりデータ管理部３に転送される構成で実施する形態が好ましい（請求項１３）。
【図面の簡単な説明】
【００５８】
【図１】本資源物等の監視・管理システムを示した説明図である。
【図２】異なる資源物等の監視・管理システムを示した説明図である。
【図３】図２の資源物等の監視・管理システムを示した異なる説明図である。
【図４】図２の資源物等の監視・管理システムを示した異なる説明図である。
【図５】図２の資源物等の監視・管理システムの流れをフロー的に示した説明図である。
【図６】資源物等の収集運搬から中間処理過程、最終処分に至る過程を示した説明図である。
【符号の説明】
【００５９】
Ｐ      位置情報
Ｔ      時間情報
Ｓ      車両情報
Ｂ      中間処理場（所定場所）
１      資源物・廃棄物（資源物等）
２      二次元バーコード
３      データ管理部
４      端末装置
５      ディスプレイ画面
６      撮像手段
７      記録転送手段
８      カメラ付き情報端末装置（携帯電話）
９      第三者機関
１０    アクセス手段
１１    電子マニフェスト
１２    運搬終了報告
１３    処理終了報告
１５    台かん
２０    車両
２１    ナンバープレート
２２    画像データ
【図１】
2005182502.tif 000003
【図２】
2005182502.tif 000004
【図３】
2005182502.tif 000005
【図４】
2005182502.tif 000006
【図５】
2005182502.tif 000007
【図６】
2005182502.tif 000008